【手続補正書】
【提出日】平成31年1月7日(2019.1.7)
【手続補正１】
【補正対象書類名】明細書
【補正対象項目名】００３９
【補正方法】変更
【補正の内容】
【００３９】
上記の記載は、本発明の現在の実施態様のものである。種々の代替及び変更を、均等論を含む特許法の原理にしたがって解釈されるべきである添付の特許請求の範囲で規定された発明の精神及びより広範な側面を逸脱することなく実施することができる。単数形（例えば「１つの（ａ、ａｎ）」、「その（ｔｈｅ）」、又は「前記」）での要素への任意の言及は、単数に要素を限定するものとして解釈されないべきである。
以下に、本開示に関連する発明の実施形態について例示する。
［実施形態１］
内腔側とシェル側とを含み、かつ、その細孔内に固定された有機相を含む複数の中空繊維を与えること；
前記複数の中空繊維の前記内腔側又は前記シェル側のうちの１つに沿って、希土類元素を含む水性供給溶液の連続の流量を移動させること；
前記複数の中空繊維の前記内腔側又は前記シェル側のうちのもう１つに沿って、ストリップ溶液の連続の流量を移動させること；
を含み、
前記有機相が抽出剤と有機溶媒とを含み、希土類元素が、前記有機相中の希土類元素の濃度が前記中空繊維の厚さに亘って減少するように、連続プロセスにおいて前記供給溶液から抽出され、前記有機相からストリッピングされる、希土類元素の回収方法。
［実施形態２］
前記供給溶液に抽出剤を加えて、前記有機相中の抽出剤の所望の濃度を維持することをさらに含む、実施形態１に記載の方法。
［実施形態３］
前記抽出剤が、テトラオクチルジグリコールアミド、トリアルキルホスフィンオキシド、２‐エチルヘキシルホスホン酸モノ‐２‐エチルヘキシルエステル、カルバモイルホスホリルオキシド、又はｓｅｃ‐オクチルフェノキシ酢酸からなる群から選択される、実施形態１に記載の方法。
［実施形態４］
前記有機溶媒が、トリブチルホスフェート、イソパラフィン、キシレン、ヘキサン、オクタノール又はケロシンを含む、実施形態１に記載の方法。
［実施形態５］
前記有機相が、テトラオクチルジグリコールアミド、トリブチルホスフェート及びイソパラフィンを、それぞれ３：４：３の比で含む、実施形態１に記載の方法。
［実施形態６］
前記複数の透過性繊維が親水性材料から形成される、実施形態１に記載の方法。
［実施形態７］
前記供給溶液が、前記ストリップ溶液に対して圧力差を含む、実施形態１に記載の方法。
［実施形態８］
間でメンブレン厚さを画定する供給インターフェースとストリップインターフェースとを含む複数の中空繊維を含む繊維束アセンブリであって、
前記複数の中空繊維が、抽出剤と有機溶媒とを含む有機相により濡らされており、
前記有機相が、希土類元素の濃度が前記供給インターフェースから前記ストリップインターフェースへ減少するように、移動しているストリップ溶液による前記ストリップインターフェースにおけるストリッピングに関し、移動している供給溶液から前記供給インターフェースにおいて希土類元素を抽出するように適合されている、繊維束アセンブリ。
［実施形態９］
前記複数の中空繊維が、ポリプロピレン、ポリエチレン、ポリフッ化ビニリデン、ポリスルホン、ポリエーテルスルホン及びポリエーテルエーテルケトンからなる群から選択される、実施形態８に記載の繊維束アセンブリ。
［実施形態１０］
前記複数の中空繊維が、約０．０１ミクロン〜１．０ミクロンの平均細孔サイズを含む、実施形態８に記載の繊維束アセンブリ。
［実施形態１１］
前記複数の中空繊維が、０．２５ｍｍ〜１ｍｍ（包括的）の平均内径を画定する、実施形態８に記載の繊維束アセンブリ。
［実施形態１２］
前記複数の中空繊維が、０．１ｍｍ〜１．０ｍｍ（包括的）の平均外径を画定する、実施形態８に記載の繊維束アセンブリ。
［実施形態１３］
前記複数の中空透過性繊維が、そのそれぞれの端部にて第一及び第二のチューブシートに接合されている、実施形態８に記載の繊維束アセンブリ。
［実施形態１４］
供給溶液を収容する供給リザーバと；
ストリップ溶液を収容するストリップリザーバと；
前記供給リザーバ及び前記ストリップリザーバと流体連通するモジュールと
を含み、
前記モジュールが、複数の中空繊維であって、その各々が供給インターフェースと、ストリップインターフェースと、その間に固定された有機相とを含む複数の中空繊維を含み、
前記固定された有機相が、前記ストリップインターフェースへの輸送、及び前記ストリップ溶液によるストリッピングに関して、前記供給溶液から前記供給インターフェースにおいて希土類元素を連続的に抽出するように適合されている、メンブレン補助溶媒抽出システム。
［実施形態１５］
前記供給溶液が、前記ストリップ溶液への任意の抽出剤損失を相殺するように加えられた抽出剤を含む、実施形態１４に記載のシステム。
［実施形態１６］
前記抽出剤が、テトラオクチルジグリコールアミド、トリアルキルホスフィンオキシド、２‐エチルヘキシルホスホン酸モノ‐２‐エチルヘキシルエステル、カルバモイルホスホリルオキシド、及びｓｅｃ‐オクチルフェノキシ酢酸からなる群から選択される、実施形態１４に記載のシステム。
［実施形態１７］
前記有機溶媒が、トリブチルホスフェート、イソパラフィン、キシレン、ヘキサン、オクタノール又はケロシン（ｋｅｒｏｇｅｎｅ）からなる群から選択される、実施形態１４に記載のシステム。
［実施形態１８］
疎水性繊維と親水性繊維とを含む複数の中空繊維を含み、
前記疎水性繊維は供給溶液のためのチャンネルを画定し、前記親水性繊維はストリップ溶液のためのチャンネルを画定し、前記疎水性繊維及び前記親水性繊維は、その間の領域を画定するように互いに対して離間しており；
前記疎水性繊維内の有機相をさらに含み、前記有機相は抽出剤と有機溶媒とを含み；
前記疎水性繊維と前記親水性繊維との間の領域に、前記疎水性繊維における前記有機相からの抽出剤の損失を相殺するための抽出剤リザーバをさらに含む、
供給溶液からストリップ溶液へ希土類元素を輸送するモジュール。
［実施形態１９］
前記疎水性繊維が、ポリプロピレン、ポリエチレン、ポリフッ化ビニリデン、ポリスルホン、ポリエーテルスルホン及びポリエーテルエーテルケトンからなる群から選択される、実施形態１８に記載のモジュール。
［実施形態２０］
前記親水性繊維が、ポリアクリロニトリル、親水性ポリエチレン又はポリフッ化ビニリデンから形成されている、実施形態１８に記載のモジュール。
【手続補正２】
【補正対象書類名】特許請求の範囲
【補正対象項目名】全文
【補正方法】変更
【補正の内容】
【特許請求の範囲】
【請求項１】
シェル側から離間した内腔側を含み、それらの間にメンブレンを画定する中空繊維であって、前記メンブレンが分散された複数の細孔を含むものである、複数の中空繊維を与えること；
前記複数の中空繊維のそれぞれについての前記メンブレンの複数の細孔を、固定化された有機相で前記複数の細孔を含浸させることによって、湿らせること；
前記複数の中空繊維の前記内腔側又は前記シェル側のうちの１つに沿って、希土類元素を含む水性供給溶液の連続の流れを移動させることであって、前記複数の細孔への含浸が、前記水性供給溶液の連続の流れの移動工程に先立って行われること；
前記複数の中空繊維の前記内腔側又は前記シェル側のうちのもう１つに沿って、ストリップ溶液の連続の流れを移動させること；
を含み、
前記有機相が抽出剤とイソパラフィンと有機溶媒とを含み、希土類元素が、前記有機相中の希土類元素の濃度が前記中空繊維の厚さに亘って減少するように、連続プロセスにおいて前記供給溶液から抽出され、前記有機相からストリッピングされる、希土類元素の回収方法。
【請求項２】
前記供給溶液に抽出剤を加えて、前記有機相中の抽出剤の所望の濃度を維持することをさらに含む、請求項１に記載の方法。
【請求項３】
前記抽出剤が、テトラオクチルジグリコールアミド、トリアルキルホスフィンオキシド、２‐エチルヘキシルホスホン酸モノ‐２‐エチルヘキシルエステル、カルバモイルホスホリルオキシド、又はｓｅｃ‐オクチルフェノキシ酢酸である、請求項１に記載の方法。
【請求項４】
前記有機溶媒が、トリブチルホスフェート、キシレン、ヘキサン、オクタノール又はケロシンを含む、請求項１に記載の方法。
【請求項５】
前記有機相が、テトラオクチルジグリコールアミド及びトリブチルホスフェートを含む、請求項１に記載の方法。
【請求項６】
前記複数の中空繊維が疎水性材料から形成される、請求項１に記載の方法。
【請求項７】
前記供給溶液が、前記ストリップ溶液に対して圧力差を含む、請求項１に記載の方法。
【請求項８】
間でメンブレン厚さを画定する供給インターフェースとストリップインターフェースとを含む複数の中空繊維を含む繊維束アセンブリであって、
前記複数の中空繊維が、抽出剤と有機溶媒とを含む有機相により濡らされており、
前記有機相が、希土類元素の濃度が前記供給インターフェースから前記ストリップインターフェースへ減少するように、移動しているストリップ溶液による前記ストリップインターフェースにおけるストリッピングに関し、移動している供給溶液から前記供給インターフェースにおいて希土類元素を抽出するように適合されている、繊維束アセンブリ。
【請求項９】
前記複数の中空繊維が、ポリプロピレン、ポリエチレン、ポリフッ化ビニリデン、ポリスルホン、ポリエーテルスルホン及びポリエーテルエーテルケトンからなる群から選択される、請求項８に記載の繊維束アセンブリ。
【請求項１０】
前記複数の中空繊維が、約０．０１ミクロン〜１．０ミクロンの平均細孔サイズを含む、請求項８に記載の繊維束アセンブリ。
【請求項１１】
前記複数の中空繊維が、０．２５ｍｍ以上１ｍｍ以下の平均内径を画定する、請求項８に記載の繊維束アセンブリ。
【請求項１２】
前記複数の中空繊維が、０．１ｍｍ以上１．０ｍｍ以下の平均外径を画定する、請求項８に記載の繊維束アセンブリ。
【請求項１３】
前記複数の中空透過性繊維が、そのそれぞれの端部にて第一及び第二のチューブシートに接合されている、請求項８に記載の繊維束アセンブリ。
【請求項１４】
供給溶液を収容する供給リザーバと；
ストリップ溶液を収容するストリップリザーバと；
前記供給リザーバ及び前記ストリップリザーバと流体連通するモジュールと
を含み、
前記モジュールが、複数の中空繊維であって、その各々が供給インターフェースと、ストリップインターフェースと、その間に固定された有機相とを含む複数の中空繊維を含み、
前記固定された有機相が、前記ストリップインターフェースへの輸送、及び前記ストリップ溶液によるストリッピングに関して、前記供給溶液から前記供給インターフェースにおいて希土類元素を連続的に抽出するように適合されている、メンブレン補助溶媒抽出システム。
【請求項１５】
前記供給溶液が、前記ストリップ溶液への任意の抽出剤損失を相殺するように加えられた抽出剤を含む、請求項１４に記載のシステム。
【請求項１６】
前記抽出剤が、テトラオクチルジグリコールアミド、トリアルキルホスフィンオキシド、２‐エチルヘキシルホスホン酸モノ‐２‐エチルヘキシルエステル、カルバモイルホスホリルオキシド、及びｓｅｃ‐オクチルフェノキシ酢酸からなる群から選択される、請求項１４に記載のシステム。
【請求項１７】
前記有機溶媒が、トリブチルホスフェート、イソパラフィン、キシレン、ヘキサン、オクタノール又はケロシン（ｋｅｒｏｇｅｎｅ）からなる群から選択される、請求項１４に記載のシステム。
【請求項１８】
疎水性繊維と親水性繊維とを含む複数の中空繊維を含み、
前記疎水性繊維は供給溶液のためのチャンネルを画定し、前記親水性繊維はストリップ溶液のためのチャンネルを画定し、前記疎水性繊維及び前記親水性繊維は、その間の領域を画定するように互いに対して離間しており；
前記疎水性繊維内の有機相をさらに含み、前記有機相は抽出剤と有機溶媒とを含み；
前記疎水性繊維と前記親水性繊維との間の領域に、前記疎水性繊維における前記有機相からの抽出剤の損失を相殺するための抽出剤リザーバをさらに含む、
供給溶液からストリップ溶液へ希土類元素を輸送するモジュール。
【請求項１９】
前記疎水性繊維が、ポリプロピレン、ポリエチレン、ポリフッ化ビニリデン、ポリスルホン、ポリエーテルスルホン及びポリエーテルエーテルケトンからなる群から選択される、請求項１８に記載のモジュール。
【請求項２０】
前記親水性繊維が、ポリアクリロニトリル、親水性ポリエチレン又はポリフッ化ビニリデンから形成されている、請求項１８に記載のモジュール。
【請求項２１】
前記複数の中空繊維が、０．１ｍｍ以上１．０ｍｍ以下の平均内径を画定する、請求項１に記載の方法。
【請求項２２】
前記複数の中空繊維が、０．１ｍｍ以上１．０ｍｍ以下の平均外径を画定する、請求項１に記載の方法。
【請求項２３】
前記複数の中空繊維が、０．１ミクロン未満の前記複数の細孔の平均細孔サイズを画定する、請求項１に記載の方法。
【請求項２４】
前記供給溶液が前記ストリップ溶液よりも高いモル濃度の酸を含むことにより、前記供給溶液と前記ストリップ溶液との間に化学ポテンシャルの勾配を画定する、請求項１に記載の方法。